(57)【要約】      （修正有）【課題】単一でも使用可能な法面工事用の作業足場を提供すると共に法面の工事位置に対応して簡単且つスムースに組み付け又は解体が容易であり、作業性や経済性に優れた法面工事の作業足場の組立方法を提供する。【解決手段】複数の前側支柱１と、前側支柱１より長い複数の後側支柱２と、前側支柱１間に架設した前側大引きフレーム３と、後側支柱２間に架設した後側大引きフレーム４と、前側大引きフレーム３と後側大引きフレーム４との間に架設されると共にトラスで補強された複数の根太フレーム５と、根太フレーム５上に敷設した作業床８と、左右両端部の前側支柱１、１に起立させた前側手摺支柱１０、１０と、後側支柱２に起立させた後側手摺支柱１１と、左右の前側手摺支柱１０、１０と左右両端部の後側手摺支柱１１、１１との間にそれぞれ着脱自在に架設した左右一対の側部手摺１２と、後側手摺支柱１１、１１間に架設した背部手摺１３と、からなる。【選択図】図２
2019094693.tif 000002
【特許請求の範囲】
【請求項１】
複数の前側支柱（１）と、上記前側支柱（１）より長い複数の後側支柱（２）と、上記前側支柱（１）間に架設した前側大引きフレーム（３）と、上記後側大引きフレーム（４）間に架設した後側大引きフレーム（４）と、上記前側大引きフレーム（３）と上記後側大引きフレーム（４）との間に架設されると共にトラス（７）で補強された複数の根太フレーム（５）と、上記根太フレーム（５）上に敷設した作業床（８）と、左右両端部の上記前側支柱（１）、（１）に起立させた前側手摺支柱（１０）、（１０）と、上記各後側支柱（２）に起立させた後側手摺支柱（１１）と、上記左右の上記前側手摺支柱（１０）、（１０）と上記左右両端部の上記後側手摺支柱（１１）、（１１）との間にそれぞれ着脱自在に架設した左右一対の側部手摺（１２）、（１２）と、上記後側手摺支柱（１１）、（１１）間に架設した背部手摺（１３）と、からなる法面工事用の作業足場。
【請求項２】
上記前側支柱（１）と上記後側支柱（２）との間に一つ又は複数のブレース（１４Ａ）、（１４Ｂ）を架設し、上記前側支柱（１）と上記後側支柱（２）とに上記作業床（８）の左右側部と背部とにそれぞれ起立する巾木（１５）、（１６）を取付けている請求項１に記載の法面工事用の作業足場。
【請求項３】
上記前側大引きフレーム（３）と上記後側大引きフレーム（４）とはそれぞれ上弦材（１７）と、下弦材（１８）と、上記上弦材（１７）と上記下弦材（１８）との間に架設したハの字状の補強材（１９）及び垂直な補強材（２０）と、上記
上弦材（１７）の上部に起立した筒状のソケット（２１）と、上記上弦材（１７）と上記下弦材（１８）の両端にそれぞれ設けた楔挿入用のブラケット（２２）とで構成され、上記ブラケット（２２）を介して前側支柱（１）又は後側支柱に結合させている請求項１又は２に記載の法面工事用の作業足場。
【請求項４】
上記根太フレーム（５）はビーム梁（５Ａ）と、上記ビーム梁（５Ａ）の下部に結合したトラス（６）からなり、上記トラス（６）は柱状の下弦材（６ａ）と、上記ビーム梁（５Ａ）と上記下弦材（６ａ）との間に取付けた複数のＶ字状の束材（６ｂ）とで構成され、上記ビーム梁（５Ａ）は後端に垂設した突起（５Ｂ）を介して上記後側支柱（２）側の上記ソケット（２１）に着脱自在に嵌合させ、また先端に取付けた筒状の取付け部材（２７）を介して上記前側大引きフレーム（３）側の上記ソケット（２１）に着脱自在に嵌合させている請求項３に記載の法面工事用の作業足場。
【請求項５】
上記作業床（８）は上記ビーム梁（５Ａ）上に締結部材（２４）を介して結合して並べた複数のパネル（９）からなり、上記締結部材（２４）は上記隣同士のパネル（９）、（９）間に下方に向けて差し込むコ字状の支持板（２４Ｃ）と、上記支持板（２４Ｃ）の上端に互いに反対方向に向けて取付けた水平な一対の押え片（２４Ａ）、（２４Ｂ）と、上記支持板（２４Ｃ）に垂設した一対の楔取付け片（２５）、（２５）と、上記楔取付け片（２５）に着脱自在に差し込む楔（２６）とで構成され、上記ビーム梁（５Ａ）上に並べたパネル（９）に上記押え片（２４Ａ）、（２４Ｂ）を当接させながら上記支持板（２４Ｃ）を上記ビーム梁（５Ａ）上にかぶせ、上記楔（２６）上面と上記支持板（２４Ｃ）の下面（２４Ｄ）とで上記ビーム梁（５Ａ）を挟持する請求項４に記載の法面工事用の作業足場。
【請求項６】
上記前側支柱（１）と上記後側支柱（２）との間に一つ又は複数の側部ブレース（１４Ａ）、（１４Ｂ）を架設し、上記各後側支柱（２）、（２）間に後側ブレース（１４Ｃ）を架設している請求項１、２、３、４又は５に記載の法面工事用の作業足場。
【請求項７】
複数の前側支柱（１）と、上記前側支柱（１）より長い複数の後側支柱（２）と、上記前側支柱（１）間に架設した前側大引きフレーム（３）と、上記後側支柱（２）間に架設される後側大引きフレーム（４）と、上記前側大引きフレーム（３）と上記後側大引きフレーム（４）との間に架設されると共にトラス（６）で補強された複数の根太フレーム（５）と、上記根太フレーム（５）上に敷設される作業床（８）とを備えたユニット化された組み立て式の作業足場を複数用意し、
地上（Ｂ）に法面（Ｈ）に対向して最下段の作業足場（Ｓ）を起立する工程と、
上記最下段の作業足場（Ｓ）上で二段目の作業足場（Ｓ）を組み立てて当該二段目の作業足場（Ｓ）を法面の下方の工事位置に対向させながら最下段の作業足場（Ｓ）上にスライド自在に起立させる工程と、
同様にして更に上方の法面（Ｈ）の工事位置に対応して三段目以降の上方の作業足場（Ｓ）を順次下段側の作業足場上に階段状に連続して起立させる工程と、
上方の法面の工事位置の工事終了後から下方の法面の工事位置の工事に順次切り換えるに際には上段の作業足場を解体し、次段の作業足場をそのまま使用する工程とからなる法面工事用の作業足場の組立方法。
【請求項８】
最下段の作業足場の前側支柱（１）と後側支柱（２）とを直接又はジャッキベース（Ｊ）を介して地上（Ｂ）に起立させ、二段目以降の作業足場（Ｓ）の前側支柱（１）を直接又はジャッキベース（Ｊ）を介して法面（Ｈ）に形成した水平面（Ｈａ）上に起立し、後側支柱（２）を下側の作業足場（Ｓ）の作業床（８）上に直接又はジャッキベース（Ｊ）を介して起立している請求項７に記載した法面工事用の作業足場の組立方法。
【発明の詳細な説明】
【技術分野】
【０００１】
本発明は、法面工事用の作業足場及びその組立方法に関し、特に傾斜地の斜面部分である法面の補強工事や復旧工事に使用する作業足場と、この作業足場を法面に沿って組み付ける作業足場の組立方法に関するものである。
【背景技術】
【０００２】
一般に、山や丘の傾斜地、或いは道路脇の傾斜地の斜面部分である法面にはコンクリート等によって補強して土砂の崩落を防止する補強工事、或いは破損した部分の復旧工事を行う場合、この法面に沿って足場を組み立て、この足場上で上記の工事を行っている。
上記の足場では、例えば、多数の単管支柱と足場板とをクランプ等で結合したパイプ構造物の櫓状足場を利用したものが知られているが、このようなパイプ構造物の足場では、多数の単管支柱やクランプ等の資材や部品が必要で、その組立、取付け作業や解体作業が面倒であり、部品点数が多く経済性にも不利である。
そこで、資材や部品を削減し、組立時や解体時の作業性の向上を図れる特許文献１に示すような法面工事用の作業床構築システムが開発されている。
この法面工事用の作業床構築システムは、法面に対向して多数の支柱を縦横に継ぎ足して起立させ、次いで隣同士の支柱間に床付き布材を架設して櫓状の足場を構築し、更にこの足場の上端に法面の工事個所に対応してトラス大引きを架設し、またこのトラス大引き上にトラスで補強された複数のユニット化された作業床パネルを取付けたものである。
そして、この連続したパネルを作業路として利用すると共にパネルの背部に手摺と巾木を配置し、この状態で作業路上において作業者が重機を操作して所定の工事を行うものである。
又、法面の工事位置を下方に変えて作業路を下方に盛替える場合は、下段の床付き布材上で上記の手摺と、巾木と、トラス大引きと、作業床パネルとを取外し、更に上部の支柱の抜き取り作業を行う。
次いで、更に下段の床付き布材上で再度法面の工事位置に対応して上記と同じ手順で作業路と手摺と巾木とを取付けるものである。
この法面工事用の作業床構築システムでは、多数の支柱を継ぎ足した後で床付き布材を架設して足場を組み立て、更に足場の上端にユニット化された作業床パネルによる作業路を取付けるだけであるから上記単管足場やクランプで組み立てた足場に比べて資材やクランプ等の部品点数が少なく、足場の構築作業、解体作業の向上が図れるものである。
【先行技術文献】
【特許文献】
【０００３】
【特許文献１】特開２００６−１７６９５１号公報
【発明の概要】
【発明が解決しようとする課題】
【０００４】
しかしながら、上記した特許文献１に示す作業床構築システムでは機能上欠陥があるわけでは無いが、依然として次のような不具合の改善が望まれている。
すなわち、法面の工事位置に対応して足場を構築する場合、法面に沿って多数の支柱を縦横に起立しているので依然として支柱自体の本数や布材の本数が多くその搬送、格納が困難であるばかりでなく多数の支柱同士の継ぎ足し作業が面倒で困難であり、経済性、作業性に不利である。
更に、法面の工事を法面の上方工事位置からから順次下方の工事位置に移行する場合、工事位置に対応して作業路を下方へ順次盛替える必要があるが、この場合には下段の床付き布材上で手摺、巾木、トラス大引き、作業床パネル、及び上段の支柱等の撤去等の操作を行い、次いで、下方の工事位置に対応して再度下段の布材上で作業路や手摺、巾木等を取付ける操作が必要であるから上方から下方への組み立て、盛替え作業が面倒である。
同様に下方から上方に組み立て、盛替える作業の場合も作業が面倒である。
【０００５】
又、上記の作業床構築システムは縦横に継ぎ足した多数の支柱で櫓状の足場を構築していることが必要であるからこの櫓状の足場を構築しない限り作業路を単独で使用できない不具合もある。
そこで、本発明の目的は、単一でも使用可能な法面工事用の作業足場を提供すると共に法面の工事位置に対応して簡単且つスムースに組み付け、解体又は盛替えが容易であり、作業性や経済性に優れた法面工事の作業足場の組立方法を提供することである。
【課題を解決するための手段】
【０００６】
上記の目的を達成するため、本発明の法面工事用の作業足場は、複数の前側支柱と、上記前側支柱より長い複数の後側支柱と、上記前側支柱間に架設した前側大引きフレームと、上記後側支柱間に架設した後側大引きフレームと、上記前側大引きフレームと上記後側大引きフレームとの間に架設されると共にトラスで補強された複数の根太フレームと、上記根太フレーム上に敷設した作業床と、左右両端部の上記前側支柱に起立させた前側手摺支柱と、上記各後側支柱に起立させた後側手摺支柱と、上記左右の上記前側手摺支柱と上記左右両端部の上記後側手摺支柱との間にそれぞれ着脱自在に架設した左右一対の側部手摺と、上記後側手摺支柱間に架設した背部手摺と、からなるものである。
同じく、法面工事の作業足場の組立方法は、複数の前側支柱と、上記前側支柱より長い複数の後側支柱と、上記前側支柱間に架設する前側大引きフレームと、上記後側支柱間に架設する後側大引きフレームと、上記前側大引きフレームと上記後側大引きフレームとの間に架設されると共にトラスで補強された複数の根太フレームと、上記根太フレーム上に敷設される作業床とを備えたユニット化された組み立て式の作業足場を複数用意し、
地上に法面に対向して最下段の作業足場を起立し、
上記最下段の作業足場上で二段目の作業足場を組み立てて当該二段目の作業足場を法面の下方の工事位置に対向させながら最下段の作業足場上にスライド自在に起立させ、
同様にして更に上方の法面の工事位置に対応して三段目以降の上方の作業足場を順次下段側の作業足場上に階段状に連続して起立させ、
更に、最上方の法面の工事位置の工事終了後から下方の法面の工事位置の工事に順次切り換えるに際に上段の作業足場を解体し、次段の作業足場をそのまま使用することを特徴とするものである。
【発明の効果】
【０００７】
本発明に係る法面工事用の作業足場は、複数の前側支柱と、この前側支柱より長い複数の後側支柱と、前側大引きフレームと、後側大引きフレームと、前側大引きフレームと後側大引きフレームとの間に架設されると共にトラスで補強された根太フレームと、根太フレーム上に敷設した作業床と、左右一対の側部手摺と、背部手摺と、でユニット化されているものであるから、単一の作業足場として組立でき、法面の工事位置が低い場合はこの工事位置に対応して単独で起立して使用できる。
【０００８】
また、法面の工事位置が傾斜面に沿って長くて広い場合は、下側の作業足場上に上側の作業足場を階段状に重ね複数起立し、しかも短い前側支柱を法面上に起立することで作業床を水平に保持できる。
この際、作業床はトラスで補強されているから、作業床を支える余分な支柱等の支え部材が不要となる。
本発明の法面工事用の作業足場の組立方法によれば、単一のユニット化された作業足場を法面の工事位置に対応して複数階段状に起立するから多数の支柱を縦横に継ぎ足して櫓状の足場を構築する必要が無く、足場の組立作業が容易であり、スピードアップを図れる。
さらに多数の支柱やクラン等の資材や部品を使用しなくても作業足場の構築ができるから部品点数が少なく、資材や部品の省力化が図れ、作業性、経済性の向上を図れる。
また、上方の法面の工事位置から下方の工事位置に工事を切り換える場合は上方の工事に使用していた上方の作業足場を撤去するだけで直ちに下方の作業足場を下方の工事用に使用できるので足場の切り替え作業が容易で、作業性の向上を図れ、スピードアップも図れる。
【図面の簡単な説明】
【０００９】
【図１】（Ａ）は三組の作業足場を法面に対向して起立した状態の一部切欠き平面図であり、（Ｂ）は側面図である。
【図２】三組の作業足場を法面に対向して起立した状態の一部切欠き斜視図である。
【図３】作業足場に一部切欠き拡大斜視図である。
【図４】（Ａ）は根太フレームの拡大平面図であり、（Ｂ）は側面図である。
【図５】（Ａ）は前側大引きフレームの平面図であり、（Ｂ）は正面図である。
【図６】（Ａ）はビーム梁の先端に設けた連結部材の拡大縦断正面図であり、（Ｂ）は側面図である。
【図７】（Ａ）は補助ジャッキの拡大平面図であり、（Ｂ）は側面図である。
【図８】（Ａ）は締結部材の拡大平面図であり、（Ｂ）は同正面図であり、（Ｃ）は左側面図であり、（Ｄ）は右側面図である。
【図９】（Ａ）は後側支柱の正面図であり、（Ｂ）は側面図であり、（Ｃ）は底面図である。
【図１０】（Ａ）はブレースの拡大平面図であり、（Ｂ）は側面図である。
【発明を実施するための形態】
【００１０】
本発明は、傾斜地の斜面部分である法面の補強工事や復旧工事に使用するのに適する作業足場と、この作業足場を法面に沿って組み付ける作業足場の組立方法に関するものである。
【００１１】
本発明の作業足場Ｓは単独でも使用可能であるが、複数階段状に起立させることにより縦方向に長い法面の工事の使用に適するものである。
単一の作業足場Ｓは図１から図２に示すように、複数の前側支柱１と、前側支柱１より長い複数の後側支柱２と、前側支柱１間に架設した水平な前側大引きフレーム３と、後側支柱２間に架設した水平な後側大引きフレーム４と、前側大引きフレーム３と後側大引きフレーム４との間に架設されると共にトラス７で補強された複数の根太フレーム５と、根太フレーム５上に敷設した作業床８と、左右両端部の前側支柱１、１に起立させた前側手摺支柱１０、１０と、各後側支柱２に起立させた後側手摺支柱１１と、左右の前側手摺支柱１０、１０と左右両端部の後側手摺支柱１１、１１との間にそれぞれ着脱自在に架設した左右一対の側部手摺１２、１２と、後側手摺支柱１１、１１間に架設した背部手摺１３とからなるものである。
【００１２】
この単一の作業足場Ｓは図１（Ｂ）に示すように、傾斜する法面Ｈの縦方向の工事位置の面積長さに対応して複数階段状に起立して使用するのに適するが、
縦方向の工事面積が地上Ｂに近い低い位置の場合は最下段の作業足場Ｓのみに単独で使用することも可能である。
【００１３】
また、法面Ｈの工事面積が横方向に広い場合は前側大引きフレーム３と後側大引きフレーム４を水平方向に長く延ばし、横方向に長い作業床８を使用すればよく、或いは複数の作業足場Ｓを横方向に並べて使用しても対応できる。
前側支柱１と後側支柱２とは下端にジャッキベースＪを介して起立するが、前側支柱１は後側支柱２より短くして後側支柱２の起立位置より高い位置である法面Ｈに成形した水平面Ｈａ（図７参照）に起立できるようにしている。
従って、前側支柱１の長さを他の支柱を継ぎ足して後側支柱２の長さと同じにすれば水平な地上等に水平に起立できるので、法面の工事用以外の単独の普通の作業足場として転用することが可能である。
図１、図２は法面Ｈの工事位置に対応して階段状に三段組立てた状態を示しているが、工事面積に応じて一つ又は複数作業足場Ｓを起立するものである。
図１、図２に示す作業足場Ｓの組立は、先ず地上Ｂに最下段の作業足場Ｓを法面Ｈの最下段の工事位置に対応して直接又はジャッキベースＪを介して起立する。
次に、この最下段の作業足場Ｓ上で二段目の作業足場Ｓを組立て、次いで後側支柱２を最下段の作業足場Ｓの作業床８上に起立し、前側支柱１を法面Ｈの水平面Ｈａ上に起立し、二段目の法面Ｈの工事位置に対応させる。
同様にして順次上方の工事位置に対応して上段の作業足場Ｓを階段状に起立させる。
次に、最上段の工事位置の工事が終了し、次段の工事位置の工事を始める場合は作業足場Ｓを最上段の作業足場の次の下側作業足場を使用する。
この場合、例えば、図１（Ｂ）の三段目の作業足場Ｓの使用で三段目の工事が終了した場合は、二段目の作業足場Ｓ上で三段目の作業足場Ｓを解体して撤去し、次いでこの二段目の作業足場を二段目の工事用の足場として使用するものである。
次に単一の法面工事用の作業足場Ｓの構造を図面に基づいてさらに詳しく説明する。
この作業足場Ｓの基本構造は上記の通りであるが、更に次の構成を備えている。
すなわち、最上段に起立する作業足場Ｓは直接法面工事を行うものであるから側部手摺１２と背部手摺１３を備えている。
下段の作業足場Ｓは最上段の作業足場Ｓを支えるものであるから、これらの側部手摺１２と背部手摺１３は取付けなくても使用可能である。
側部手摺１２と背部手摺１３はブラケットを介してそれぞれ前側手摺支柱１０と後側手摺支柱１１に取付けた横材で構成されている。
上段の作業足場Ｓは、例えば、図２に示すように、二段目、三段目の作業足場Ｓの側部には補助手摺Ｔを設けても良い。
背部手摺１３を構成する後側手摺支柱１１は、図１、図９に示すように垂直に起立する支柱本体１１Ａと、支柱本体１１Ａの下部に連結したＬ字状の張出支柱１１Ｂとから構成されている。
支柱本体１１Ａの外周には多孔のフランジＦＡが設けられている。
張出支柱１１Ｂの内側には上側のブラケット３０を介して取付け部材３２と係止ピンＰ１が取り付けられており、また、下側のブラケット３１を介して係止ピンＰ２が取り付けられている。
フランジＦＡには図２に示すように背部手摺１３を構成する横材の端部がブラケットと楔を介して取付けられている。
張出支柱１１Ｂは図２に示すように後側支柱２の外周に設けた多孔のフランジに係止ピンＰ１、Ｐ２を介して着脱自在に取付けられ、更に、作業床８を構成するパネル９の後端を迂回して上方に起立し、これにより支柱本体１１Ａを上段側の作業足場Ｓのパネル９上に起立して背部手摺１３を構成するようにしている。
さらに、図１〜図３に示すように左右両端の前側支柱１と左右両端の後側支柱２との間に一つ又は複数のブレース１４Ａ、１４Ｂを架設して各支柱１、２を補強している。各後側支柱２、２間に後側ブレース１４Ｃを架設している。
更に、前側支柱１と後側支柱２とに作業床８の左右側部と背部とにそれぞれ起立する巾木１５、１６を取付け、作業床８から工具や資材が落下すのを防止している。
上下のブレース１４Ａ、１４Ｂは同じ構造の取付け部材を介してそれぞれ前側支柱１と後側支柱２に着脱自在に結合されている。
例えば、下側のブレース１４Ａは図１０に示すように、前側支柱１と後側支柱２にそれぞれ取付けた多孔のフランジＦに二股のブラケット２２とこのブラケット２２に着脱自在に差し込んだ楔２３とからなる取付け部材、例えば、３Ｓシステム（日綜産業株式会社の登録商標）を介して取付けている。
フランジＦは公知のように、円板とこの円板に円周方向に沿って形成した複数の孔とで構成され、ブラケット２２は円板に差し込む溝と楔を差し込む孔とを備え、ブラケット２２をフランジＦに差し込んだ後にブラケット２２の孔とフランジＦの孔とに楔２３を嵌合させ、フランジＦにブラケット２２を取付けることにより結果的にブレース１４Ａの両端がそれぞれ前側支柱１と後側支柱２に結合される。
【００１４】
前側大引きフレーム３と後側大引きフレーム４とは同じ構造であり、これは図５に示すように、それぞれ上弦材１７と、下弦材１８と、上弦材１７と下弦材１８との間に架設したハの字状の補強材１９及び垂直な補強材２０とからなり、更に上弦材１７の上部に起立した筒状のソケット２１と、上弦材１７と下弦材１８の両端にそれぞれ設けた楔挿入用のブラケット２２とを備えている。
そして、上記のブレース１４Ａと同じようにブラケット２２とフランジＦと楔２３とからなる取付け部材を介して前側支柱１と後側支柱２にそれぞれ結合されている。
【００１５】
根太フレーム５は図１〜図４に示すように、上側ビーム梁５Ａと、ビーム梁５Ａの下部に結合したトラス６から構成されている。
トラス６は柱状の下弦材６ａと、ビーム梁５Ａと下弦材６ａとの間に取付けた複数のＶ字状の束材６ｂとで構成されている。
さらに、ビーム梁５Ａは後端に垂設した突起５Ｂを介して後側支柱２側のソケット２１に着脱自在に嵌合させ、また図６に示すように、先端に取付けた筒状の取付け部材２７を介して前側大引きフレーム３側のソケット２１に着脱自在に嵌合させている。
取付け部材２７は筒体２７Ａと、筒体２７Ａから起立する二股の耳片２７Ｂと、耳片２７Ｂに差し込むボルト２８及びナットとから構成され、耳片２７Ｂに差し込んだビーム梁５Ａをボルト２８とナットで耳片２７Ｂに結合し、次いで筒体２７Ａを前側大引きフレーム３のソケット２１に嵌合し、これによりビーム梁５Ａの前側先端が前側大引きフレーム３に取付けられる。
作業床８は図１〜図３に示すように、ビーム梁５Ａ上に締結部材２４を介して結合して並べた複数のパネル９から構成されている。
締結部材２４は図８に示すように、隣同士のパネル９、９間に下方に向けて差し込むコ字状の支持板２４Ｃと、支持板２４Ｃの上端に互いに反対方向に向けて取付けた水平な一対の押え片２４Ａ、２４Ｂと、支持板２４Ｃの両側に垂設した一対の楔取付け片２５、２５と、各楔取付け片２５に着脱自在に差し込む楔２６とで構成されている。
そして、ビーム梁５Ａ上に並べた両側のパネル９の上面に押え片２４Ａ、２４Ｂをそれぞれ当接させながら支持板２４Ｃをビーム梁５Ａ上にかぶせながら楔取付け片２５、２５をビーム梁５Ａの両側に対向させ、この状態で楔２６を楔取付け片２５、２５の孔に水平方向から差し込むことによりこの楔２６の上面と支持板２４Ｃの下面２４Ｄとでビーム梁５Ａを挟持する。
その結果、押え片２４Ａ、２４Ｂが下方に引っ張り込まれてパネル９、９をビーム梁５Ａの上面に圧接してパネル９の緩みを防止させている。
次に、上段側の作業足場Ｓの前側支柱１が法面Ｈの水平面Ｈａに届かない場合は、図1（Ｂ）と図７（Ｂ）に示すように補助ジャッキＫを連結し、この補助ジャッキＫを法面Ｈの水平面Ｈａに起立するようにしても良い。
補助ジャッキＫは図７に示すように、縦方向に起立する補助支柱Ｋ１と、補助支柱Ｋ１に水平に結合した一つ又は複数の横支柱Ｋ２と、横支柱Ｋ２の端部に設けた二股ブラケット２２及びこのブラケット２２に差し込まれる楔２３とで構成されている。
補助支柱Ｋ１は単独でも使用可能であるが、図示のようにジャッキベースＪを継ぎ足しても良い。
そして、前側支柱１に設けた多孔のフランジＦにブラケット２２を差し込み、次いで、ブラケット２２に形成した孔とフランジＦに設けた孔に楔２３を打ち込むことによりブラケット２２を前側支柱１に結合し、これにより前側支柱１に補助ジャッキＫが連結され、図１（Ｂ）、図７（Ｂ）に示すように前側支柱１が補助ジャッキＫを介して法面Ｈに成形した水平面Ｈａ上に起立される。
上記の法面工事用の作業足場Ｓは法面Ｈの工事位置の高さに応じて一つ又は複数階段状に起立し、工事を最上方の工事位置から順次下方の工事位置に切り換えるものである。
本発明の法面工事用の作業足場の組立方法は次の工程からなるものである。
【００１６】
即ち、
複数の前側支柱１と、前側支柱１より長い複数の後側支柱２と、前側支柱１間に架設した前側大引きフレーム３と、後側支柱２間に架設した後側大引きフレーム４と、前側大引きフレーム３と後側大引きフレーム４との間に架設されると共にトラス７で補強された複数の根太フレーム５と、根太フレーム５上に敷設する作業床８とを備えたユニット化された組み立て式の作業足場を複数用意する工程（第一工程）と、
地上Ｂに法面Ｈに対向して最下段の作業足場Ｓを起立する工程（第二工程）と、
最下段の作業足場Ｓ上で二段目の作業足場Ｓを組み立てて当該二段目の作業足場Ｓを法面Ｈの下方の工事位置に対向させながら最下段の作業足場Ｓ上にスライド自在に起立させる工程（第三工程）と、
同様にして更に上方の法面Ｈの工事位置に対応して三段目以降の上方の作業足場Ｓを順次下段側の作業足場Ｓ上に階段状に連続して起立させる工程（第四工程）と、
上方の法面の工事位置の工事終了後から下方の法面の工事位置の工事に順次切り換えるに際には上段の作業足場を解体し、次段の作業足場をそのまま使用する工程（第五工程）と、からなるものである。
【００１７】
この場合、最下段の作業足場Ｓの前側支柱１と後側支柱２とを直接又はジャッキベースＪを介して地上Ｂに起立させ、二段目以降の作業足場Ｓの前側支柱１を直接又はジャッキベースＪを介して法面Ｈに形成した水平面Ｈａ上に起立し、後側支柱２を下側の作業足場Ｓの作業床８上に直接又はジャッキベースＪを介して起立するものである。
【００１８】
上段の作業足場Ｓは下段の作業足場Ｓ上にスライド自在に起立させた後に法面Ｈ方向にスライドさせて前側支柱１を法面Ｈの水平面Ｈａに起立させても良い。
【００１９】
本発明の法面工事用の作業足場はユニット化されているものであるから、単一の作業足場Ｓとして組立でき、法面Ｈの工事位置が低い場合はこの工事位置に対応して単独で起立して使用できる。
【００２０】
また、法面Ｈの工事位置が傾斜面に沿って長くて広い場合は、下側の作業足場Ｓ上に上側の作業足場Ｓを階段状に重ね複数起立し、しかも短い前側支柱１を法面Ｈ上に起立することで作業床８を水平に保持できる。
この際、作業床８はトラス６で補強されているから、作業床８を支える余分な支柱等の支え部材が不要となる。
更に、本発明の法面工事用の作業足場の組立方法によれば、単一のユニット化された作業足場Ｓを法面Ｈの工事位置に対応して複数階段状に起立するから多数の支柱を縦横に継ぎ足して櫓状の足場を構築する必要が無く、足場の組立作業が容易であり、スピードアップを図れる。
さらに多数の支柱やクラン等の資材や部品を使用しなくても作業足場の構築ができるから部品点数が少なく、資材や部品の省力化が図れ、作業性、経済性の向上を図れる。
【００２１】
また、上方の法面の工事位置から下方の工事位置に工事を切り換える場合は上方の工事に使用していた上方の作業足場を撤去するだけで直ちに下方の作業足場を下方の工事用に使用できるので足場の切り替え作業が容易で、作業性の向上を図れ、スピードアップも図れる。
【００２２】
【符号の説明】
【００２３】
１  前側支柱
２  後側支柱
３  前側大引きフレーム
４  後側大引きフレーム
５  根太フレーム
５Ａ  ビーム梁
５Ｂ  突起
６  トラス
６ａ  下弦材
６ｂ  束材
８  作業床
９  パネル
１０  前側手摺支柱
１１  後側手摺支柱
１３  背部手摺
１４Ａ、１４Ｂ  ブレース
１５、１６  巾木
１７  上弦材
１８  下弦材
１９  補強材
２０  補強材
２１  ソケット
２２  ブラケット
２４  締結部材
２４Ａ、２４Ｂ  押え片
２４Ｃ  支持板
２５  楔取付け片
２６  楔
２７  取付け部材
Ｈ  法面
Ｈａ  水平面
Ｊ  ジャッキベース
【図１】
2019094693.tif 000003
【図２】
2019094693.tif 000004
【図３】
2019094693.tif 000005
【図４】
2019094693.tif 000006
【図５】
2019094693.tif 000007
【図６】
2019094693.tif 000008
【図７】
2019094693.tif 000009
【図８】
2019094693.tif 000010
【図９】
2019094693.tif 000011
【図１０】
2019094693.tif 000012